(57)【要約】【課題】  セキュリティ性が高く、簡単に陳情や相談の閲覧を行うことのできる陳情情報閲覧管理方法、陳情情報閲覧管理システム及び陳情情報閲覧端末を提供する。【解決手段】  オーサリングされた陳情情報の電子書籍データはＳＤカード３２に（記憶ディア）に格納されて、議員１に渡される。議員１は、ＳＤカード３２を閲覧端末１８に挿入した状態で外出する。閲覧端末１８は制御部３３、液晶表示部３４及び入力部３５を備える。ＳＤカード３２からオーサリング（電子書籍化）された電子データを復号して読み出し、画面上に表示する。議員１は、表示された画面を見ながら陳情情報を検索し、所望の陳情を閲覧する。【選択図】  図２
2005084975.tif 000002
【特許請求の範囲】
【請求項１】
議員に対して少なくとも陳情、相談、問い合せを行う何れかの情報を含む陳情情報を所定の変換装置によりオーサリングして、電子書籍データに変換し、
該変換した電子書籍データを所定の記憶媒体に格納し、
記憶媒体を管理端末に装着するとともに、該記憶媒体に格納した電子書籍データを管理端末で復号して陳情情報を電子書籍画面によって表示させ、
電子書籍画面により陳情情報を閲覧端末で閲覧するようにしたことを特徴とする陳情情報閲覧管理方法。
【請求項２】
前記閲覧端末の電子書籍画面は、陳情情報を検索する検索画面を含むものであることを特徴とする請求項１記載の陳情情報閲覧管理方法。
【請求項３】
前記閲覧端末は、
電子書籍データを復号可能なプログラムを内蔵した情報端末、携帯電話、パーソナルコンピュータ、電子辞書であることを特徴とする請求項１記載の陳情情報閲覧管理方法。
【請求項４】
前記陳情情報は、議員への少なくとも陳情、相談、問い合せを行う何れかの情報をテキストエディタによりタイピンング入力して、ＨＴＭＬ形式の文書データを作成し、
このＨＴＭＬ形式の文書データを電子書籍形式へのオーサリングソフトによってＸＭＬ形式に変換した後、
ＸＭＤＦ形式に変換し、
電子書籍化した各陳情情報と別途作成したＨＴＭＬのリンクタグによる検索システムとをセットとして、
１つのファイルの電子書籍データとすることを特徴とする請求項１記載の陳情情報閲覧管理方法。
【請求項５】
議員に対して少なくとも陳情、相談、問い合せを行う何れかの情報を含む陳情情報をオーサリングして電子書籍データに変換するオーサリング手段と、
該変換した電子書籍データを記憶媒体に格納する記憶手段と、
記憶媒体に格納した電子書籍データを復号する復号手段と、
復号した電子書籍データを電子書籍画面によって陳情情報として表示させて閲覧する閲覧端末と、
を備えたことを特徴とする陳情情報閲覧管理システム。
【請求項６】
記憶媒体を備え、
前記記憶媒体には、議員に対して少なくとも陳情、相談、問い合せを行う何れかの情報を含む陳情情報を所定の変換装置によりオーサリングした電子書籍データが格納されており、
記憶媒体に格納した電子書籍データを復号する復号手段と、
復号した電子書籍データを陳情情報として表示させて閲覧可能な表示手段と、
を備えていることを特徴とする陳情情報閲覧端末。
【請求項７】
復号した電子書籍データから所望の陳情情報を検索する検索手段を備えていることを特徴とする請求項６記載の陳情情報閲覧端末。
【発明の詳細な説明】
【技術分野】
【０００１】
本発明は、電子書籍の技術を活用して、議員にする陳情、相談、問い合せを行う何れかの情報を含む陳情情報を携帯型の閲覧端末で簡単に閲覧できる陳情情報閲覧管理方法、陳情情報閲覧管理システム及び陳情情報閲覧端末に関する。
【背景技術】
【０００２】
従来、市議会議員など地域密着で活動する議員にとっては、市民からの相談や陳情を受けることは非常に重要な活動であり、その蓄積は膨大な量になっている。また、そのような資料を通じて議員自身が議会にアピールしたり、あるいは市民への具体的報告活動とも関連して、いかに陳情情報を整理するかは重要な事項である。
いままでは、このような陳情情報は１件毎に紙に手で書き込みしてファイルし、外出時（例えば、出張）には、そのファイルを持参して見ていた。
また、陳情情報をいちいち手で書き込みするのはではなく、例えば、パーソナルコンピュータを用いてワープロ機能で、書き込みして整理する程度であった。
【０００３】
また、地域の情報を提供するシステムもあり、それは、以下の特許文献に記載のものである。このシステムでは、ある特定の地域の情報を入手したいユーザに対して、当該地域に密着した地域情報をデータベースからユーザのパソコンに送信するというものであるが、あくまでもユーザ端末で所望の地域情報を得るというもので、議員陳情とかには適用されるものではない。
【０００４】
【特許文献１】特開２００２−１６３５５２
【発明の開示】
【発明が解決しようとする課題】
【０００５】
しかしながら、従来のように陳情情報を１件毎に紙に手で書き込みしてファイルを作成し、外出時にファイルを持参する方法では、多忙な議員活動の中で、その書類の整理・分類を行うのが大変であり、また、閲覧も大変であった。例えば、直に必要な書類が取り出せなかった。
このような問題点は、外出時でなく、事務所にて陳情や相談の閲覧を行う場合にも同じであった。
さらに、パーソナルコンピュータ（以下、パソコン）を用いたとしても、そのパーソナルコンピュータは単に１件毎に陳情や相談を書き込みして整理するだけであるから、上記問題点の解決にはなっていなかった。
【０００６】
陳情や相談として、例えば地区の側溝の改良に関するものであれば、地域の地図や具体的状況を示す図面も必要であり、これは紙に手で書き込みする場合が殆どであり、それを陳情ファイルに綴じていたため、書類の整理・分類は大変であった。
また、議員への陳情や相談は、秘密にしておく必要性が高く、パーソナルコンピュータを用いたとしても、単にテキストファイルにするだけでは、セキュリティ性の問題があった。すなわち、情報の性格上、漏洩や改竄、その他のセキュリティ性に十分に配慮する必要がある。
【０００７】
そこで本発明は、セキュリティ性が高く、簡単に陳情や相談の閲覧を行うことのできる陳情情報閲覧管理方法、陳情情報閲覧管理システム及び陳情情報閲覧端末を提供することを目的としている。
【課題を解決するための手段】
【０００８】
上記目的達成のため、請求項１記載の陳情情報閲覧管理方法は、議員に対して少なくとも陳情、相談、問い合せを行う何れかの情報を含む陳情情報を所定の変換装置によりオーサリングして、電子書籍データに変換し、
該変換した電子書籍データを所定の記憶媒体に格納し、
記憶媒体を管理端末に装着するとともに、該記憶媒体に格納した電子書籍データを管理端末で復号して陳情情報を電子書籍画面によって表示させ、
電子書籍画面により陳情情報を閲覧端末で閲覧するようにしたことを特徴とする。
【０００９】
請求項２記載の発明は、前記閲覧端末の電子書籍画面は、陳情情報を検索する検索画面を含むものであることを特徴とする。
請求項３記載の発明は、前記閲覧端末は、
電子書籍データを復号可能なプログラムを内蔵した情報端末、携帯電話、パーソナルコンピュータ、電子辞書であることを特徴とする。
請求項４記載の発明は、前記陳情情報は、議員への少なくとも陳情、相談、問い合せを行う何れかの情報をテキストエディタによりタイピンング入力して、ＨＴＭＬ形式の文書データを作成し、
このＨＴＭＬ形式の文書データを電子書籍形式へのオーサリングソフトによってＸＭＬ形式に変換した後、
ＸＭＤＦ形式に変換し、
電子書籍化した各陳情情報と別途作成したＨＴＭＬのリンクタグによる検索システムとをセットとして、
１つのファイルの電子書籍データとすることを特徴とする。
【００１０】
請求項５記載の陳情情報閲覧管理システムは、議員に対して少なくとも陳情、相談、問い合せを行う何れかの情報を含む陳情情報をオーサリングして電子書籍データに変換するオーサリング手段と、
該変換した電子書籍データを記憶媒体に格納する記憶手段と、
記憶媒体に格納した電子書籍データを復号する復号手段と、
復号した電子書籍データを電子書籍画面によって陳情情報として表示させて閲覧する閲覧端末と、を備えたことを特徴とする。
【００１１】
請求項６記載の陳情情報閲覧端末は、記憶媒体を備え、
前記記憶媒体には、議員に対して少なくとも陳情、相談、問い合せを行う何れかの情報を含む陳情情報を所定の変換装置によりオーサリングした電子書籍データが格納されており、
記憶媒体に格納した電子書籍データを復号する復号手段と、
復号した電子書籍データを陳情情報として表示させて閲覧可能な表示手段と、を備えていることを特徴とする。
請求項７記載の発明は、復号した電子書籍データから所望の陳情情報を検索する検索手段を備えていることを特徴とする。
【００１２】
ここで、議員とは、国会議員の他に、県議会議員・市議会議員・町議会議員などの地方自治体の議会にて活動する、議員・代議士を含む概念であり、広義にはその他に議員の秘書・スタッフ（すなわち、議員の一機関として活動する人達）を含む概念である。
陳情とは、狭義では陳情そのものであり、役所・議会等に請願する制度に対する書類を指すが、ここでは陳情のほか、市民相談・問い合わせ・質問など広く、議員に対する政治（国政・県政・市政等）的な発言・会話・行動などを指す概念（広義の意味）である。したがって、本発明の範囲及び実施の形態における陳情には狭義の意味での陳情のみならず、広義の上記情報が全て含まれる。
【発明の効果】
【００１３】
本発明によれば、多忙な議員活動の中でも、陳情、相談、問い合せの何れかの情報を含む陳情情報の書類の整理・分類が簡単に行え、また、閲覧も手軽に簡単に行うことができる。
特に、議員の外出時にあっては、携帯型の閲覧端末を操作するだけで、極めて簡単に陳情や相談の閲覧を行うことができ、とても便利である。必要なときに検索して直に資料を画面上に取り出すことができる。
また、膨大な陳情情報資料を簡単に管理・検索することができる。
守秘義務の要求される陳情情報の書類であっても、改竄、不正コピーが困難で漏洩が無くセキュリティ性を高くして管理・閲覧をすることができる。
また、陳情情報を電子書籍データ化するので、ネット（例えば、インターネット）環境が無くても、セキュリティ性を高くした状態で配付・閲覧が容易に行え、かつネットを介しての情報の漏洩の心配が無い。
パソコンを用意しなくても、携帯電話などの手持ちの端末で簡単に陳情情報の共有ができる。
【発明を実施するための最良の形態】
【００１４】
以下、本発明の実施の形態について、図面を参照して詳細に説明する。
図１は、本発明の陳情情報閲覧管理システムを示す全体構成図である。図１において、１は議員であり、議員１は住民から陳情、相談などを受け付け、その内容につき自らあるいは事務員によって陳情ファイル２を作成する。この陳情ファイル２は紙のファイルであり、手書きでもよいし、あるいはパソコンを用いて作成してもよいが、あくまでも印刷した場合に紙の上の展開される媒体である。
議員１の事務所では、陳情ファイル２に基づいて電子書籍データを作成するが、その手順の構成について説明する。
【００１５】
まず、テキストエディタ２を行う構成である。すなわち、陳情ファイル２にある手書き原稿３である陳情情報（議員への少なくとも陳情、相談、問い合せを行う何れかの情報を含むもの）をテキストエディタによりタイピンング４で入力して、ＨＴＭＬ形式の文書データ（以下、ＨＴＭＬ文書）５を作成する。テキストエディタはパソコンを用いてもよい。また、手書き原稿３に代えてワープロ原稿６を用いて、これをＨＴＭＬ変換してＨＴＭＬ文書５を作成するようにしてもよい。
【００１６】
作成したＨＴＭＬ文書５（ＨＴＭＬ形式の文書データ）は、陳情情報を検索する検索画面を含むものであるように編集する。例えば、ＨＴＭＬ文書５に検索ページ７を設け、これに対してタグの付けられた案件ファイルを作成する。すなわち、陳情（広義の意味）の案件１、案件２、案件３、案件４・・・・、案件ｎという具合（ただし、図１では案件４までを示す）に各陳情毎に案件ファイル８〜１１を作成し、検索ページ７から検索できるようなスタイルにする。
次いで、検索機能を付けたＨＴＭＬ文書５を電子書籍形式へのオーサリングソフト１５によってＸＭＬ形式に変換してＸＭＬ文書１２を作成し、さらに、これをＸＭＤＦ形式のＸＭＤＦ文書１３に変換して、電子書籍データを得るような構成である。すなわち、陳情ファイル２に記載された各陳情情報と別途作成したＨＴＭＬのリンクタグによる検索システムとをセットとし、これをオーサリングして１つのファイル単位としての電子書籍データとする処理を行う。この処理は、議員に対して少なくとも陳情、相談、問い合せを行う何れかの情報を含む陳情情報をオーサリングして電子書籍データに変換するオーサリング手段の機能を実現することに相当する。
【００１７】
なお、この処理は、議員１の事務所内で行ってもよいし、あるいは電子書籍作成会社１４に外注して行われるようにしてもよい。また、オーサリングソフト１５はオーサリング処理を行うものであるが、オーサリングとは以下のようなものである。
オーサリングとは、テキストまたはＨＴＭＬ（HyperText Markup Language）を記述フォーマット（eXtensible Markup Language略してＸＭＬ）へ変換し、記述フォーマットを配布フォーマット（例えば、ＸＭＤＦ）へ変換するものであり、オーサリングのすべての作業はＧＵＩの環境で進めることが可能である。
【００１８】
ＸＭＬを使うと、データ同士の主従関係を決めたり、データの意味を識別したりできる。ＨＴＭＬとＸＭＬの最大の違いは、ＨＴＭＬはあらかじめ決められたタグしか使えないのに対して、ＸＭＬは自分でタグを作れることである。そのため、ＸＭＬファイルは互換性のないデータ間の通訳のように使うこともできる。  ＧＵＩとは、（Graphical User Interface）の略であり、ウインドウズＯＳ（Operating System）やマックＯＳのように、画面にアイコンが表示されて、マウスで操作できる方法である。
【００１９】
ここで、上記で説明した一例としてのＸＭＤＦ（Mobile Document Format）とは、ＰＤＡ（Personal Digital Assistants）で電子書籍コンテンツを閲覧することに特化したデータフォーマットである。画像及びテキストの表現力に富み、コンテンツの転用、改竄の防止等のセキュリテイを強化し、表示の高速性が重視できるデータフォーマットである。ＸＭＤＦはあくまでもオーサリングした結果としてのファイルの１つの形態であり、この他にも別のデータファイルの形式は可能である。本実施の形態では、便宜上、一例としてＸＭＤＦの形式で変換して説明したものである。なお、当然ではあるが、オーサリングはＸＭＤＦという形式に限定されるものでなく、その他のデータ形式（ファイル形式）でオーサリングしてもよいのは勿論である。
【００２０】
ＸＭＤＦビルダは、ＧＵＩによるオーサリング作業、コンバート処理、アーカイブ処理など、ＸＭＤＦデータ作成のために開発されたツールである。
ＸＭＤＦデータの作成の仕方を説明すると、ＸＭＤＦデータの作成は、まず、ソースデータの準備し、タグ付け、レイアウト等のオーサリング作業を行う。データコンバートによって記述フォーマットに変換後、タグ修正、書誌情報記入等の作業を行う。アーカイブによってファイルを統合、暗号化処理し、ＰＤＡ実機による検証作業を行う。なお、アーカイブには「書庫」といった意味があり、そのため、インターネットなどで公開している文書やソフトなどを、まとめて保存してある場所がアーカイブである。
【００２１】
以上のような手順を踏んでＸＭＤＦデータを作成する。ＸＭＤＦフォーマットによる電子書籍コンテンツは、画像及びテキストの表現力に加えて、印刷された書籍を超える表現がサポートされ、例えば英語学習などに便利な音声対応、例えばマニュアルの手順がわかりやすいパラパラ動画、例えばクイズや問題集の回答が隠せるマスクなどがある。マスク機能の活用により、簡単に、重要で人目をはがかるような陳情資料にマスクができるようになっている。
【００２２】
また、データ形式においては、各種のフォーマットによるオーサリングが可能であり、ソースデータとしてはＣＴＳ（computerized type settingの略であり、文字や画像のデータを入力し、字詰め・行取り・レイアウトなどの処理や印画紙への出力などを、プログラムに従って自動的に行う）データ、ＤＴＰ（DeskTop Publishing）データ、ＨＴＭＬデータ、テキストデータ、ドットブック（.book）データ等、あらゆるデータからのオーサリングが可能になっている。なお、上記所定のフォーマットとしては、本実施の形態では１例としてＸＭＤＦフォーマットを用いている。
【００２３】
さて、オーサリングが終ると、次に、電子書籍データ１３を記憶ディア（記憶媒体）１６に対して格納処理１７（保存）を行う。この処理は、変換した電子書籍データを記憶媒体に格納する記憶手段の機能を実現することに相当する。
記憶ディア１６としては、ＳＤカード、ミニＳＤカード、ＣＦ、ＭＯ、メモリスティックなどがある。記憶ディア１６は、これらに限らず、その他の媒体でもよく、例えばハードディスク、ＦＤ、ＣＤ、ＤＶＤなど、要は電子書籍データ１３を格納可能な媒体であれば、どのようなものでもよく、光学・磁気・電子などのようにその記憶方式および形態をとわない。
【００２４】
次に、電子書籍データ１３の格納された記憶メディア１６は、陳情情報閲覧端末（以下、閲覧端末）１８に装着される。すなわち、閲覧端末１８の所定のスロットルに挿入されている。閲覧端末１８としては、小型で携帯に便利なものが用いられるが、例えば携帯電話１９を使用するのが出張のような場合には便利である。閲覧端末１８は、復号した電子書籍データを電子書籍画面によって陳情情報として表示させる機能を有する。
【００２５】
閲覧端末１８としては、その他にＰＤＡ２０、電子辞書２１、ＰＣ（パソコン）２２を用いてもよい。閲覧端末１８はオーサリングデータを復号するアプリケーションが入っている（インストール済み）。そして、閲覧端末１８は記憶メディア１６からオーサリング（電子書籍化）された電子データを読み出すとともに、このデータを所定のアプリケーションによって復号して画面上に表示させる。この処理は、記憶媒体に格納した電子書籍データを復号する復号手段の機能を実現することに相当する。議員１は、表示された画面を見ながら陳情情報の検索２３したりして、閲覧２４するようになっている。
【００２６】
図２は、閲覧端末１８の構成を示す図である。図２において、閲覧端末１８はカードスロットル３１を備えており、カードスロットル３１にはＳＤカード３２が挿入されるようになっている。また、閲覧端末１８は制御部３３、液晶表示部３４及び入力部３５を備えており、制御部３３はＲＡＭ内蔵のＣＰＵ３３によって構成され、カードスロットル３１に挿入されたＳＤカード３２にアクセス３６して、電子書籍データ（オーサリングデータ）を読み出すとともに、ブンコ・ビューワ３７の処理を行って、電子書籍化されたオーサリングデータを復号し、液晶表示部３４に表示させて閲覧するための処理が行われる。この表示処理は、復号した電子書籍データを陳情情報として表示させて閲覧可能な表示手段の機能を実現することに相当する。
このとき、入力部３５を介して閲覧の案件を選択する処理も可能となる。入力部３５の処理では、例えばカーソル、決定キーなどの操作が行われる。入力部３５は、例えばキーボードや携帯電話のボタンなどが用いられる。
【００２７】
ブンコ・ビューワ３７では、データを閲覧するためのソフト（例えば、ブラウザ）を用いた処理も行われる。これには、例えばＸＭＤＦに対するブンコビューヮなどの他、専用ソフトを用いてもよい。また、ＷＷＷブラウザなど、汎用性のあるソフトを用いてもよい。なお、携帯電話、ＰＤＡなどには標準装備されている場合もあるが、別途、インストールすることも可能である。
液晶表示部３４としては、高解像度の液晶が使用され、例えばＱＶＧＡなどが用いられて画面が表示３９される。また、画面上でデータ検索３８を行うことが可能であり、例えば３階層のプロセスでデータ表示を行う。なお、ＪＡＶＡ（登録商標）やＳＱＬ等データベース検索プログラミング言語は使用しておらず、ＨＴＭＬベースのファイルリンクにより目的のデータを検索して到達させる。この処理は、復号した電子書籍データから所望の陳情情報を検索する検索手段の機能を実現することに相当する。
【００２８】
次に、動作を説明する。
図１のような構成によってオーサリングされた陳情情報の電子書籍データは記憶ディア１６に格納されて、議員１に渡される。議員１は、記憶ディア１６を閲覧端末１８に挿入した状態で、閲覧端末１８を持参して外出する。そして、例えば新幹線の中に閲覧端末１８を持参して乗り込み、その席で閲覧端末１８の電源をオンして陳情を閲覧する。なお、外出に限らず、場所はどこでも同様であり、ここでは典型的な例として外出の場合を例に説明するものである。
その場合の閲覧のフローチャートは図３のように示される。図３において、閲覧端末１８の電源をオンすると、ステップＳ１でトップ画面を表示する。トップ画面では、検索する項目を選択する。例えば、相談者の名前からデータから陳情を検索する。これにより、図４（ａ）に示すように、「陳情情報閲覧システム」の画面が表れるとともに、「検索する項目を選択してください」というメッセージも表示される。
【００２９】
図４（ａ）の例では、相談者から検索する、所掌から検索する、時期から検索する、紹介者から検索する、という項目が表示され、議員１はこの表示から所望の検索を行うことになる。画面では、「相談者」のところにマーカが付いており、ここが選択されている様子が示されている。
ステップＳ１の選択項目が決定すると、続いてステップＳ２に進んで検索画面を表示する。検索画面では、５０音文字から相談者の名前の頭文字を選択する。これにより、図４（ｂ）に示すように、「検索画面・１  相談者を検索」という画面が表れ、ここでは「あ」を選択した状態が示されている。
【００３０】
次いで、ステップＳ３に進み、検索画面・２を表示する。検索画面・２では、頭文字が「あ」の相談者を表示する。これにより、図４（ｃ）に示すように、「検索画面・２  相談者該当データ  あ」という画面が表れ、ここでは「秋永和幸」という人を選択した状態が示されている。
次いで、ステップＳ４に進み、データを表示する。データ表示では、陳情内容を表示する。これにより、図４（ｄ）に示すように、建築関係（特に、カーブミラーの設置）に関する具体的な陳情内容（厳密には市会議員への相談内容）が文字によって画面に表示されるとともに、図面・写真も表示される（図示略）。議員１は、この表示を見て、特定の市民からの相談内容を知ることができる。
【００３１】
このように、議員１は外出先であっても、多忙な議員活動の合間に、携帯電話１９を操作することで、簡単に市民からの相談内容を閲覧することができる。特に、膨大な陳情情報資料を簡単に管理・検索することができる。守秘義務の要求される陳情情報の書類であっても、改竄、不正コピーが困難で漏洩が無くセキュリティ性を高くして管理・閲覧をすることができる。
【００３２】
また、以下の効果がある。
パソコンは苦手で持ち歩くのは大変という議員１にあっては、携帯電話１９で陳情情報を閲覧できる。
必要なときにすぐに、閲覧の情報（書類）を取り出せる。
外出先のみならず、相談者の前で、過去の陳情情報を簡単に確認できる。
陳情や相談が多く、書類が多くても電子書籍化することで、整理・管理が簡単にできる。
情報の性格上、業者にオーサリングを頼めないときは、議員１の事務所で簡単に電子書籍データ化できる。
紙の書類で、陳情情報を管理する場合には、その全てを持ち歩くことは困難であるが、本発明では既存の陳情・相談書類を全て電子書籍化して、電子辞書や携帯電話で閲覧することができる。
相談者の前で、見ながら対応することができる。
電話での問い合せ時、相談会や日常活動の中でもいつでも本発明を適用すれば、相談者などに対して適切に応答することができる。
【００３３】
図５は、本発明の電子書籍と他のデバイス、書籍との比較を示す図である。
この図は、対応性（他の文書フォーマットでは実現しなかったパソコン、ＰＤＡ、携帯電話などとの幅広い対応性のこと）、改竄・コピー、作成コスト、文書更新、配信、手軽さという項目（パラメータ）によって比較するものである。
図５では、電子書籍、ＷＥＢ、ＰＤＦ、書籍をそれぞれ比較している。この図から明らかであるように、本発明の陳情情報閲覧端末は全ての項目において優れており、しかもネット環境が無くても、陳情情報の管理・閲覧が簡単にセキュリティ性を高くしながら行え、ネットを介しての漏洩の心配も無い。また、パソコンを用意しなくても、携帯電話などの手持ちのハードデバイスで情報の共有が可能である。
陳情情報の閲覧では、ＷＥＢ、ＰＤＦ、書籍は、図５から明らかであるのように本発明の陳情情報閲覧端末よりも劣る。
【図面の簡単な説明】
【００３４】
【図１】本発明の陳情情報閲覧管理システムを示す全体構成図である。
【図２】閲覧端末の構成を示す図である。
【図３】閲覧端末の動作を説明するフローチャートである。
【図４】閲覧端末の画面を説明する図である。
【図５】図５は、本発明の電子書籍と他のデバイス、書籍との比較を説明する図である。
【符号の説明】
【００３５】
１  議員
５  ＨＴＭＬ文書
１３  電子書籍データ
１６  記憶ディア（記憶媒体）
１８  陳情情報閲覧端末（閲覧端末）
１９  携帯電話
【図１】
2005084975.tif 000003
【図２】
2005084975.tif 000004
【図３】
2005084975.tif 000005
【図４】
2005084975.tif 000006
【図５】
2005084975.tif 000007